【手続補正書】
【提出日】平成29年8月8日(2017.8.8)
【手続補正１】
【補正対象書類名】特許請求の範囲
【補正対象項目名】全文
【補正方法】変更
【補正の内容】
【特許請求の範囲】
【請求項１】
パワーオーバーイーサネット（ＰｏＥ）制御システムであって、
イーサネット接続を介して電圧信号を受信するように構成される電力供給されるデバイス（ＰＤ：ｐｏｗｅｒｅｄ  ｄｅｖｉｃｅ）であって、前記受信した電圧信号を介して公称（ｎｏｍｉｎａｌ）電力レベルを示すように構成されるＰｏＥ信号レシーバを含む、前記ＰＤと、
前記電圧信号を生成し、前記公称電力レベルを判定するために前記電圧信号のクラス電流を測定するように構成される給電側機器（ＰＳＥ：ｐｏｗｅｒ  ｓｏｕｒｃｉｎｇ  ｅｑｕｉｐｍｅｎｔ）デバイスであって、前記ＰＳＥデバイスが、前記公称電力レベルの関数として電力設定コマンドを前記電圧信号を介して前記ＰｏＥ信号レシーバに提供するように構成されるＰｏＥコントローラを含み、そのため、前記公称電力レベルを変えることなく前記公称電力レベルの分数として電力レベルを提供するように、前記ＰＤが前記ＰＳＥから出される電力設定コマンドにより制御される電力レベルで動作し得る、前記ＰＳＥデバイスと、
を含み、
前記ＰｏＥ信号レシーバが、前記電圧信号に関連付けられる第１の事象クラシフィケーションに応答して前記クラス電流の第１のクラスシグネチャーを提供し、第２の事象クラシフィケーションに応答して前記第１のクラスシグネチャーとは異なるクラス値を有する第２のクラスシグネチャーを提供し、第３の事象クラシフィケーションに応答して前記ＰＤが前記ＰＳＥデバイスによるＰｏＥ制御のための容量を有することを示すために前記第２のクラスシグネチャーと異なる第３のクラスシグネチャーを提供するように構成される、システム。
【請求項２】
請求項１に記載のシステムであって、
前記ＰＳＥデバイスが、前記公称電力レベルの所望のパーセンテージに対応するコードに関連付けられるクラス事象の量として前記電圧信号を提供することに基づいて前記公称電力レベルの関数として前記電力設定コマンドを提供するように構成される、システム。
【請求項３】
請求項１に記載のシステムであって、
前記ＰｏＥ信号レシーバが、前記電圧信号に関連付けられる前記クラス電流の大きさに対応するクラスシグネチャーを介して前記公称電力レベルを示すように構成され、
前記ＰＳＥデバイスが、前記ＰｏＥ信号レシーバが前記公称電力レベルを示した後に前記電力設定コマンドを提供するように構成される、システム。
【請求項４】
請求項３に記載のシステムであって、
前記クラスシグネチャーが、複数の所定の公称電力レベルの１つに対応するクラス値を有する、システム。
【請求項５】
請求項１に記載のシステムであって、
前記第３のクラスシグネチャーが複数の公称電力レベルの１つに対応するクラス値を有し、そのため、前記第３のクラスシグネチャーが前記ＰＤの前記公称電力レベルを前記ＰＳＥデバイスに示す、システム。
【請求項６】
請求項１に記載のシステムであって、
前記第１のクラスシグネチャーがＣｌａｓｓ４で前記ＰＤから提供され、前記第２のクラスシグネチャーがＣｌａｓｓ５で前記ＰＤから提供され、前記第３のクラスシグネチャーが前記公称電力レベルに対応するクラスレベルで前記ＰＤから提供される、システム。
【請求項７】
パワーオーバーイーサネット（ＰｏＥ）制御システムであって、
イーサネット接続を介して電圧信号を受信するように構成される電力供給されるデバイス（ＰＤ）であって、前記受信した電圧信号を介して公称電力レベルを示すように構成されるＰｏＥ信号レシーバを含む、前記ＰＤと、
前記電圧信号を生成し、前記公称電力レベルを判定するために前記電圧信号のクラス電流を測定するように構成される給電側機器（ＰＳＥ）デバイスであって、前記ＰＤが電力設定コマンドに基づく電力レベルで動作し得るように、前記公称電力レベルの関数として前記電力設定コマンドを前記電圧信号を介して前記ＰｏＥ信号レシーバに提供するように構成されるＰｏＥコントローラを含む、前記ＰＳＥデバイスと、
を含み、
前記ＰＤが第１のＰｏＥ信号レシーバと第２のＰｏＥ信号レシーバとを含み、
前記ＰＳＥデバイスが、第１の電圧信号を前記第１のＰｏＥ信号レシーバに提供し、第２の電圧信号を前記第２のＰｏＥ信号レシーバに提供するように構成され、
前記第１のＰｏＥ信号レシーバが、前記第１の電圧信号の第１の事象クラシフィケーションに応答して前記クラス電流の第１のクラスシグネチャーを提供するように構成され、
前記第２のＰｏＥ信号レシーバが、前記第２の電圧信号に関連付けられる第２の事象クラシフィケーションに応答して第２のクラスシグネチャーを提供するように構成され、
前記ＰＤが前記ＰＳＥデバイスによるＰｏＥ制御のための容量を有することを示すため前記第２のクラスシグネチャーが前記第１のクラスシグネチャーより一層大きいクラス値を有する、システム。
【請求項８】
請求項７に記載のシステムであって、
前記第２のＰｏＥ信号レシーバが、前記第２の電圧信号に関連付けられる第３の事象クラシフィケーションに応答して第３のクラスシグネチャーを提供するように構成され、前記第３のクラスシグネチャーが前記第２のクラスシグネチャーとは異なるクラス値を有し、前記第３のクラスシグネチャーが、前記ＰＤが前記ＰＳＥデバイスによるＰｏＥ制御のための容量を有することを示すために前記第２のクラスシグネチャーより小さく、前記第３のクラスシグネチャーが前記ＰＳＥデバイスへの前記公称電力レベルに対応する、システム。
【請求項９】
請求項８に記載のシステムであって、
前記ＰＳＥデバイスが、前記第３のクラスシグネチャーを介して前記公称電力レベルを示した後に、前記公称電力レベルの所望のパーセンテージに対応するクラス事象の量として前記第１及び第２の電圧信号の少なくとも１つを提供することに基づいて前記公称電力レベルの関数として前記電力設定コマンドを提供するように構成される、システム。
【請求項１０】
ＰｏＥ照明システムであって、
請求項１に記載の前記ＰｏＥ制御システムを含む、ＰｏＥ照明システム。
【請求項１１】
パワーオーバーイーサネット（ＰｏＥ）制御システムにおいて電力制御を提供する方法であって、
給電側機器（ＰＳＥ）デバイスからイーサネット接続を介して電圧信号の事象クラシフィケーションを提供することと、
前記電圧信号のクラス電流に基づいて、電力供給されるデバイス（ＰＤ）のＰｏＥ信号レシーバを介するクラスシグネチャーに基づく公称電力レベルを示すことと、
前記ＰＳＥデバイスから前記ＰｏＥ信号レシーバへの前記電圧信号のクラス事象の量に関連付けられる電力設定コマンドを提供することであって、前記電力設定コマンドが前記公称電力レベルのパーセンテージに対応し、電力レベル設定が前記ＰＳＥデバイスにより決定される、前記提供することと、
公称電力レベルを変更することなしに前記電力設定コマンドに基づいて前記公称電力レベルの前記パーセンテージで動作するように前記ＰＤをアクティブにすることと、
を含む、方法。
【請求項１２】
請求項１１に記載の方法であって、
複数のクラスシグネチャーに基づいて前記ＰＳＥデバイスによるＰｏＥ制御のための容量を示すことを更に含み、前記公称電力レベルを示すことが、前記複数のクラスシグネチャーの最後のクラスシグネチャーに基づいて前記公称電力レベルを示すことを含む、方法。
【請求項１３】
請求項１２に記載の方法であって、
前記事象クラシフィケーションを提供することが、第１の事象クラシフィケーションと第２の事象クラシフィケーションと第３の事象クラシフィケーションとを提供することを含み、
ＰｏＥ制御のための前記容量を示すことが、前記第１の事象クラシフィケーションに応答して提供される前記複数のクラスシグネチャーの第１のクラスシグネチャーと、前記第２の事象クラシフィケーションに応答して提供される前記複数のクラスシグネチャーの第２のクラスシグネチャーと、前記複数のクラスシグネチャーの前記第２のクラスシグネチャーより小さいクラス値を有する前記複数のクラスシグネチャーの第３のクラスシグネチャーとに基づいて、前記ＰＳＥデバイスによるＰｏＥ制御のための前記容量を示すことを含み、前記複数のクラスシグネチャーの前記第１及び第２のクラスシグネチャーが異なるクラス値を有する、方法。
【請求項１４】
請求項１１に記載の方法であって、
前記公称電力レベルを示すことが、複数の所定の公称電力レベルの１つに対応する前記複数のクラスシグネチャーの前記最後のクラスシグネチャーの値に基づいて前記公称電力レベルを示すことを含み、
前記電力設定コマンドを提供することが、前記複数の所定の公称電力レベルの前記１つの公称電力レベルのパーセンテージに対応する前記電力設定コマンドを提供することを含む、方法。
【請求項１５】
パワーオーバーイーサネット（ＰｏＥ）制御システムにおいて電力制御を提供する方法であって、
給電側機器（ＰＳＥ）デバイスからイーサネット接続を介して電圧信号の事象クラシフィケーションを提供すること、
前記電圧信号のクラス電流に基づいて、電力供給されるデバイス（ＰＤ）のＰｏＥ信号レシーバを介するクラスシグネチャーに基づく公称電力レベルを示すことと、
前記ＰＳＥデバイスから前記ＰｏＥ信号レシーバへの前記電圧信号のクラス事象の関連付けられる電力設定コマンドを提供することであって、前記電力設定コマンドが前記公称電力レベルのパーセンテージに対応する、前記提供することと、
前記電力設定コマンドに基づいて前記公称電力レベルの前記パーセンテージで動作するように前記ＰＤをアクティブにすることと、
を含み、
前記事象クラシフィケーションを提供することが、前記イーサネット接続の第１のポートを介して第１の事象クラシフィケーションを提供することと、前記イーサネット接続の第２のポートを介して第２の事象クラシフィケーションを提供することとを含み、
前記公称電力レベルを示すことが、第１の電圧信号のクラス電流に基づく前記ＰＤの第１のＰｏＥ信号レシーバを介する第１のクラスシグネチャーと、第２の電圧信号のクラス電流に基づく前記ＰＤの第２のＰｏＥ信号レシーバを介する第２のクラスシグネチャーとに基づいて前記公称電力レベルを示すことを含み、
前記電力設定コマンドを提供することが、前記第１のＰｏＥ信号レシーバ及び第２のＰｏＥ信号レシーバのそれぞれの少なくとも１つへの前記第１の電圧信号と前記第２の電圧信号との少なくとも１つのクラス事象の量に関連付けられる前記電力設定コマンドを提供することを含む、方法。
【請求項１６】
パワーオーバーイーサネット（ＰｏＥ）制御システムであって、
イーサネット接続を介して電圧信号を受信するように構成される電力供給されるデバイス（ＰＤ）であって、前記受信した電圧信号のクラス電流を介する第１の事象クラシフィケーションに応答して第１のクラスシグネチャーを提供し、前記クラス電流を介して前記第１のクラスシグネチャーと異なるクラス値を有する第２のクラスシグネチャーを提供し、前記ＰＤがＰｏＥ制御のための容量を有することを示すために前記第２のクラスシグネチャーより小さいクラス値を有する第３のクラスシグネチャーを提供するように構成されるＰｏＥ信号レシーバを含み、前記第３のクラスシグネチャーが前記ＰＤの公称電力レベルを示す、前記ＰＤと、
前記電圧信号を生成し、前記公称電力レベルでＰｏＥ制御のための能力を判定するために前記電圧信号の前記クラス電流を測定するように構成される給電側機器（ＰＳＥ）デバイスであって、前記ＰＳＥデバイスが、前記公称電力レベルの関数として電力設定コマンドを前記電圧信号を介して前記ＰｏＥ信号レシーバに提供するように構成されるＰｏＥコントローラを含み、そのため、前記ＰＤが前記電力設定コマンドに基づく電力レベルで動作し得る、前記ＰＳＥデバイスと、
を含む、システム。
【請求項１７】
請求項１６に記載のシステムであって、
前記ＰＳＥデバイスが、前記公称電力レベルの所望のパーセンテージに対応するコードに関連付けられるクラス事象の量として前記電圧信号を提供することに基づいて前記公称電力レベルの関数として前記電力設定コマンドを提供するように構成される、システム。
【請求項１８】
パワーオーバーイーサネット（ＰｏＥ）制御システムであって、
イーサネット接続を介して電圧信号を受信するように構成される電力供給されるデバイス（ＰＤ）であって、前記受信した電圧信号のクラス電流を介する第１の事象クラシフィケーションに応答して第１のクラスシグネチャーを提供し、前記クラス電流を介して前記第１のクラスシグネチャーと異なるクラス値を有する第２のクラスシグネチャーを提供し、前記ＰＤがＰｏＥ制御のための容量を有することを示すために前記第２のクラスシグネチャーより小さいクラス値を有する第３のクラスシグネチャーを提供するように構成されるＰｏＥ信号レシーバを含み、前記第３のクラスシグネチャーが前記ＰＤの公称電力レベルを示す、前記ＰＤと、
前記電圧信号を生成し、ＰｏＥ制御のための前記容量と前記公称電力レベルとを判定するために前記電圧信号の前記クラス電流を測定するように構成される給電側機器（ＰＳＥ）デバイスであって、前記ＰＤが前記電力設定コマンドに基づく電力レベルで動作し得るように、前記ＰＳＥデバイスが、前記公称電力レベルの関数として電力設定コマンドを前記電圧信号を介して前記ＰｏＥ信号レシーバに提供するように構成されるＰｏＥコントローラを含む、前記ＰＳＥデバイスと、
を含み、
前記ＰＤが、第１のＰｏＥ信号レシーバと第２のＰｏＥ信号レシーバとを含み、前記ＰＳＥデバイスが、第１の電圧信号を前記第１のＰｏＥ信号レシーバに提供し、第２の電圧信号を前記第２のＰｏＥ信号レシーバに提供するように構成され、前記第１のＰｏＥ信号レシーバが、前記第１の電圧信号の第１の事象クラシフィケーションに応答して前記クラス電流の第１のクラスシグネチャーを提供するように構成され、前記第２のＰｏＥ信号レシーバが、前記第２の電圧信号に関連付けられる第２の事象クラシフィケーションに応答して第２のクラスシグネチャーを提供するように構成され、前記第２のクラスシグネチャーが、前記第１のクラスシグネチャーより大きいことに基づいて、前記ＰＤが前記ＰＳＥデバイスによるＰｏＥ制御のための容量を有することを示すように構成される、システム。
【請求項１９】
請求項１８に記載のシステムであって、
前記第２のＰｏＥ信号レシーバが、前記公称電力レベルに対応する前記第３のクラスシグネチャーを介して前記公称電力レベルを前記ＰＳＥデバイスに示すように構成され、
前記ＰＳＥデバイスが、前記公称電力レベルの所望のパーセンテージに対応するクラスシグネチャーに関連付けられるクラス事象の量として前記第１及び第２の電圧信号の少なくとも１つを提供することに基づいて前記公称電力レベルの関数として前記電力設定コマンドを提供するように構成される、システム。